(57)【要約】      （修正有）【課題】製造および取り扱いが容易な，動力型ファスナ締結装置に適用可能なファスナ供給装置を提供する。【解決手段】  動力型ファスナ締結装置４０を対象とするファスナ供給装置１０は，結合部１４に，締結装置に設けられている対応結合部４１のための受け１７と，ロック部材２１，２２とを具える。ロック部材は，そのロック部２３において受け内に突出し，かつ，対応結合部における凹部４３と係合するロック位置２８と，ロック部が凹部から離脱する解放位置との間で変位可能に配置されている。本発明では，ロック部材が，弾性部材２５によりロック位置に向けて弾性的に附勢され，ロック部材をロック位置から解放位置まで手動変位させるための外部からアクセス可能な操作部２４を具える。【選択図】図３
2006341369.tif 000002
【特許請求の範囲】
【請求項１】
動力型ファスナ締結装置（４０）を対象とするファスナ供給装置（１０）であって，
供給装置（１０）が結合部（１４）を具え，該結合部（１４）が，締結装置（４０）に設けられている対応結合部（４１）のための受け（１７）を有し，
供給装置（１０）は，ロック部（２３）を有する少なくとも１つのロック部材（２１，２２）を結合部（１４）に具え，該ロック部材（２１，２２）が，ロック部（２３）において前記受け（１７）内に突出し，かつ，対応結合部（４１）における凹部（４３）と係合するロック位置（２８）と，ロック部（２３）が凹部（４３）から離脱する解放位置（２９）との間で変位可能に配置されているファスナ供給装置（１０）において，
少なくとも１つのロック部材（２１，２２）が，弾性部材（２５）によりロック位置（２８）に向けて弾性的に附勢され，ロック部材（２１，２２）をロック位置（２８）から解放位置（２９）まで手動で変位させるための外部からアクセス可能な操作部（２４）を具えることを特徴とするファスナ供給装置。
【請求項２】
請求項１に記載の装置であって，互いに対向して配置され，相対的に変位可能な２つのロック部材（２１，２２）を具えることを特徴とするファスナ供給装置。
【請求項３】
請求項１または２に記載の装置であって，ロック部材（２１，２２）が略Ｕ字形状を有し，その一方の脚部がガイドブッシュ（２６）として，他方の脚部がガイドロッド（２７）としてそれぞれ形成され，一方のロック部材（２１，２２）のガイドロッド（２７）が他方のロック部材（２１，２２）のガイドブッシュ（２６）内で変位可能にガイドされることを特徴とするファスナ供給装置。
【請求項４】
請求項１〜３の何れか一項に記載の装置であって，それぞれガイドブッシュ（２６）内に配置され，ガイドブッシュ（２６）をガイドロッド（２７）に抗して支持する２つの弾性部材（２５）を具えることを特徴とするファスナ供給装置。
【請求項５】
請求項１〜４の何れか一項に記載の装置であって，ロック部（２３）が，ガイドロッド（２７）を収めるガイドブッシュ（２６）の端部領域に配置され，かつ，ガイドブッシュ（２６）から弧状に突出して対応結合部（４１）のための受け（１７）を部分的に包囲することを特徴とするファスナ供給装置。
【発明の詳細な説明】
【技術分野】
【０００１】
本発明は，請求項１の前段に記載した構成を有する，動力型ファスナ締結装置に好適に適用可能なファスナ供給装置に関するものである。
【背景技術】
【０００２】
特許文献１：米国特許出願公開２００４／００９９１０５Ａ１号公報は，ねじ締め装置用のねじ供給装置を記載しており，このねじ供給装置は，本体がクランプリングによりねじ締め装置のフランジに対して結合可能とされており，バレルが管状部において第１構造ユニットに対して変位可能に配置されている。そして，クランプリングに配置された偏心レバー部材により，クランプリングの両端を貫通するねじをクランプしてクランプリングの直径を減少させるものである。
【特許文献１】米国特許出願公開２００４／００９９１０５Ａ１号公報
【０００３】
特許文献１に記載されているねじ供給装置は，ねじをクランプする度に相当の操作力を及ぼす必要がある。さらに，このような構成のクランプリングは磨耗および老朽化を生じ易いものである。
【０００４】
特許文献２：ドイツ特許出願公開１０３５７４８５Ａ１号公報は，ねじ供給装置を有するねじ締め装置を記載しており，このねじ締め装置は保持突部を有し，その外面に管状凹部が設けられている。ねじ締め装置の保持突部上にねじ供給装置の固定ソケットが保持され，この固定ソケットはねじ供給装置のハウジング内に固定されている。固定ソケットは互いに対向する２つの開口部を有し，その開口部内にクランプヨークが半径方向に変位可能に配置されている。固定ソケットの外周上には，クランプヨーク用の内周管状溝を有するロックスリーブが旋回可能に支持されている。ロックスリーブの旋回により，クランプヨークをロック位置まで可逆的に変位させ，このロック位置ではクランプヨークがクランプ面において保持突部における凹部および環状溝に結合される。弾性フィンガーを有する保持スリーブにより，ロックスリーブを固定ソケットに対して保持する。
【特許文献２】ドイツ特許出願公開１０３５７４８５Ａ１号公報
【０００５】
特許文献２に記載されているねじ締め装置は，結合手段を多数の部品から構成する必要があり，構造的に複雑で製造コストの削減が困難である。
【発明の開示】
【発明が解決しようとする課題】
【０００６】
本発明の課題は，上述した欠点を解消することができ，製造および取り扱いが容易なファスナ供給装置を提案することである。
【課題を解決するための手段】
【０００７】
上記の課題は，請求項１に記載した手段により解決されるものである。
【０００８】
すなわち，本発明によるファスナ供給装置は，少なくとも１つのロック部材が，弾性部材によりロック位置に向けて弾性的に附勢され，ロック部材をロック位置から解放位置まで手動で変位させるための外部からアクセス可能な操作部を具えることを特徴としている。本発明によれば，ロック部材を弾性部材によりロック位置まで自動的に変位させることができ，解除位置までの変位には手動操作が必要である。また，操作部をロック部材に直接的に設けた配置により，ロック手段の部品点数を減少させ，製造コストを削減することが可能である。
【０００９】
本発明の好適な実施形態において，ファスナ供給装置は，互いに対向して配置され，相対的に変位可能な２つのロック部材を具えるものである。この場合，ファスナ供給装置をファスナ締結装置から解除するためにロック部材の双方を操作する必要があるため，意に反する解除が確実に防止される。
【００１０】
本発明の好適な実施形態において，ロック部材は略Ｕ字形状を有し，その一方の脚部がガイドブッシュとして，他方の脚部がガイドロッドとしてそれぞれ形成され，一方のロック部材のガイドロッドが他方のロック部材のガイドブッシュ内で変位可能にガイドされる構成とされている。この場合，ロック部材は互いに接近する方向に接近させ，受けに対して同時に係合させることができ，ロック手段を容易に組立可能とすることができる。
【００１１】
本発明の更に好適な実施形態において，ファスナ供給装置は，それぞれガイドブッシュ内に配置され，ガイドブッシュをガイドロッドに抗して支持する２つの弾性部材を具える。この場合，弾性部材を収めるための追加的なスペースは不要である。
【００１２】
本発明の更に好適な実施形態において，ロック部は，ガイドロッドを収めるガイドブッシュの端部領域に配置され，かつ，ガイドブッシュから弧状に突出して対応結合部のための受けを部分的に包囲する。この場合，ロック部には弾性部材の引張り力が作用するため，良好な動作特性を実現することが可能である。
【発明を実施するための最良の形態】
【００１３】
以下，本発明を図示の好適な実施形態について更に詳述する。
【００１４】
図１〜図４において全体を参照数字１０で表した本発明に係るファスナ供給装置は，その結合部１４において，工具側端部のみを図示した動力型締結装置４０における保持突部として構成された対応結合部４１と着脱可能に結合されるものである。動力型締結装置４０は，例えば電動ねじ締め装置で構成することができる。結合部１４は，締結装置４０の対応結合部41と係合可能な受け１７を有する。ファスナ供給装置１０は，ねじマガジンストリップを送るための送り機構１６を一体化させたねじマガジンとして構成されている。ファスナ供給装置１０内にはねじ締め用工具としてのビット１３が挿入され，このビット１３は動力型締結装置４０により回転駆動されるものであり，そのために締結装置４０におけるビットホルダ４２と結合可能とさている。ビット１３は工具軸線Ａを有する。
【００１５】
ファスナ供給装置１０は，結合部１１を含むガイドハウジングとして構成されたガイドユニット１１と，ガイドユニット１１において工具軸線Ａ方向に変位可能に保持されるスライダユニット１２とを有する。ガイドユニット１１は送り機構１６を担持し，ねじマガジンストリップをガイドするものである。さらに，ガイドユニット１１は当接部１５を有し，この当接部１５においてファスナ供給装置１０を基材に対するファスナの締結時に当接させるものである。
【００１６】
ファスナ供給装置１０の結合部１４は，動力型締結装置４０の対応結合部４１と結合可能な結合スリーブとして構成されており，全体を参照数字２０で表したロック機構が設けられている。ロック機構２０は第１のロック部材２１および第２のロック部材２２を含み，これらのロック部材２１，２２は工具軸線Ａを挟んで互いに対向する配置とされている。各ロック部材２１，２２は略Ｕ字形状に形成され，その脚部が円筒状のガイドブッシュ２６と，ガイドブッシュ２６の端部から突出する弧状のロック部２３とを有する。その際，ロック部２３はガイドブッシュ２６から工具軸線Ａ周りの円周方向に湾曲している。ガイドブッシュ２６内には弾性部材２５が配置され，対向するロック部材２１，２２のガイドロッド２７が長手方向に変位可能に挿入されている。弾性部材２５によりガイドロッド２７は，対応するガイドブッシュ２６から押出される方向に弾性的に附勢されている。これにより，両ロック部材２１，２２が互いに離間する方向に押圧されるも，移動経路がガイドユニット１１により限定され，その際にガイドユニット１１はロック部材２１，２２のストッパーとして機能する。ファスナ供給装置１０がその結合部１４において，図１〜図３に示すように，動力型締結装置４０の対応結合部４１上に装着されると，ロック部材２１，２２が対応結合部４１と係合し，ロック部２３が受け１７内に突出して当該領域における対応結合部４１の外周面に設けられている凹部４３または溝と係合する。このロック位置２８では，直径線上で対向するロック部材２１，２２におけるロック部２３が，ロック部材２１，２２を互いに離間する方向に押圧する弾性部材２５により自動的に保持されるので，ロック部２３を凹部４３に沿って工具軸線Ａ方向に変位させることができる。
【００１７】
各ロック部材２１，２２においてはＵ字の脚部間に位置する基底部がガイドブッシュ２６を形成し，Ｕ字の脚部がガイドロッド２７を形成するものであるが，これらに隣接して作動部２４が配置されている。作動部２４はガイドユニット１１またはハウジングを貫通し，外部から手動で操作することが可能である。作動部２４およびロック部材２１，２２は互いに堅固に結合し，または一体的に形成する。
【００１８】
ロック部材２１，２２をロック位置２８から図４に示す解除位置９まで変位させるため，ロック部材２１，２２の操作部２４を手動で工具軸線Ａに向けて変位させてガイドユニット１１またはガイドハウジング内まで押し込む。その結果，ガイドロッド２７が弾性手段２５に抗してガイドブッシュ２６内まで押し込まれ，ロック部２３が対応結合部４１の凹部４３または溝から離脱し，動力型締結装置４０における対応結合部４１がファスナ供給装置１０の結合部１４から分離可能となる。その際，ロック部２３は受け１７の外部に位置する。
【００１９】
ユーザが作動部２４から手を離すと，ロック部材２１，２２が弾性部材２５の弾性力の作用下で互いに離間する方向に変位し，ロック部材が工具軸線Ａに向けて復帰変位する。
【００２０】
動力型締結装置４０に結合した状態でのファスナ供給装置１０の旋回を防止するため，結合部１４および対応結合部４１にそれぞれスプライン状の突部および溝を設けることができる。これらの突部および溝を結合状態で互いに噛み合わせて，相対回転を防止する。その代案として，連続的な溝の代わりに複数の凹部を設け，その数と，対応結合部４１の円周方向における長さをロック部２３と対応させ，結合状態で噛み合わせることも可能である。
【図面の簡単な説明】
【００２１】
【図１】本発明に係るファスナ供給装置をファスナ締結装置との結合状態で示す側面図である。
【図２】図１に示すファスナ供給装置の要部断面図である。
【図３】ロック手段のロック状態を図２のＩＩＩ−ＩＩＩ線に沿って示す断面図である。
【図４】ロック手段の解除状態を図２のＩＩＩ−ＩＩＩ線に沿って示す断面図である。
【符号の説明】
【００２２】
１０  ファスナ供給装置
１４  結合部
１７  受け
２１，２２  ロック部材
２３  ロック部
２４  操作部
２５  弾性部材
２６  ガイドブッシュ
２７  ガイドロッド
２８  ロック位置
２９  解除位置
４０  ファスナ締結装置
４１  対応結合部
【図１】
2006341369.tif 000003
【図２】
2006341369.tif 000004
【図３】
2006341369.tif 000005
【図４】
2006341369.tif 000006